(57)【要約】【課題】スモールオーバラップ衝突時に衝撃荷重を伝達するガセットを、フルラップ衝突の際は機能させないで、良好な衝撃吸収性能を得ることができるようにする。【解決手段】フロントサイドフレーム４０の車幅方向外側にガセット１００の固定部１０２を締結し、この固定部１０２から車幅方向外側へ拡開した状態で延在するガセット本体１０１をバンパビーム６０の背面６０ａに、前端面１０１ａの内側前端稜部１０１ｂを最も近接させた状態で対峙させ、固定部１０２には変形容易部として機能する部位を設ける。スモールオーバラップ衝突時はガセット１００を介して衝撃荷重をフロントサイドフレーム４０に伝達し、一方フルラップ衝突時はバンパビーム６０が後退する際に、その背面６０ａでガセット本体１０１の内側前端稜部１０１ｂを押圧し、このガセット本体１０１を固定部１０２に設けた変形容易部を起点として折り曲げて車幅方向外側へ傾斜させる。【選択図】図１
2015137080.tif 000002
【特許請求の範囲】
【請求項１】
車体の幅方向両側に設けられると共に該車体の前後方向へ延在するフロントサイドフレームと、
前記フロントサイドフレームの前端部又は該前端部に設けられたクラッシュボックスと、
前記フロントサイドフレームの前端部又は前記クラッシュボックスの前端部に連結されて車幅方向へ延在するバンパビームと、
後部に形成した固定部を前記フロントサイドフレームの車幅方向外側に固定し、該固定部から前方へ延在する本体部を車幅方向外側に拡開させて、該本体部の前端面を前記バンパビームの背面に対峙させるガセットと
を有する車体前部構造において、
前記本体部の前記前端面と前記バンパビームの背面との間に間隙部が設けられ、
前記固定部に、フルラップ衝突の際の衝撃荷重を受けて前記本体部を車幅方向外側へ傾斜させる際の起点となる変形容易部が設けられている
ことを特徴とする車体前部構造。
【請求項２】
前記固定部は前記フロントサイドフレームに締結されており、該固定部と前記本体部との間が前記変形容易部として機能される
ことを特徴とする請求項１記載の車体前部構造。
【請求項３】
前記変形容易部は前記固定部の周辺であって、前記本体部との境界に形成されている屈曲部に設けられている
ことを特徴とする請求項１記載の車体前部構造。
【請求項４】
前記変形容易部は前記固定部に脆弱部を形成することで機能させている
ことを特徴とする請求項１記載の車体前部構造。
【請求項５】
前記本体部は筒状断面に形成されており、該本体部は前記前端面の車幅方向内側稜部が前記バンパビームの背面に最も近接されている
ことを特徴とする請求項１〜４の何れか１項に記載の車体前部構造。
【請求項６】
前記本体部の車幅方向内側前端部の側面に、前記バンパビームに設けたガイド部が対設されている
ことを特徴とする請求項１〜５の何れか１項に記載の車体前部構造。
【発明の詳細な説明】
【技術分野】
【０００１】
本発明は、スモールオーバラップ衝突とフルラップ衝突或いはオフセット衝突との双方における衝撃荷重の吸収性能を保証することのできる車体前部構造に関する。
【背景技術】
【０００２】
近年、自動車を代表とする車両の衝突安全性の向上に関する技術開発が進められている。例えば、オフセット衝突では、従来のオフセット衝突よりもラップ量の少ないスモールオーバラップ衝突（微小ラップ衝突）に対する衝突安全性への関心も高い。
【０００３】
スモールオーバラップ衝突は、左右一対のフロントサイドフレームよりも車幅方向外側におけるオフセット衝突であり、この対策としては、フロントサイドフレームの車幅方向外側にガセットを固設し、このガセットを介して衝撃荷重をフロントサイドフレームに伝達させ、このフロントサイドフレームを曲げ変形させるなどして衝撃を吸収するようにした技術が多く採用されている。
【０００４】
例えば、特許文献１（特開２０１３−２０３３２０号公報）には、フロントサイドフレーム前部の車幅方向外側にガセットを設けると共に、このガセットの後方のフロントサイドフレームの車幅方向外側にビードにより脆弱部を形成し、更に、ガセットの先端とバンパビームとの間に間隙を形成した技術が開示されている。
【０００５】
すなわち、スモールオーバラップ衝突時の衝撃荷重が、フロントサイドフレームの先端に直接連結され、又はフロントサイドフレームの先端にクラッシュボックスを介して連結されているバンパビームに入力されると、フロントサイドフレームの先端、又はクラッシュボックスが圧潰され、バンパビームの背面が後退してガセットに押し当てられる。すると、このガセットを介して衝撃荷重がフロントサイドフレームに伝達され、このフロントサイドフレームを、脆弱部を起点に車幅方向内側へ屈曲させてエンジン等のパワーユニットに衝突させることで衝撃を吸収するようにしている。
【先行技術文献】
【特許文献】
【０００６】
【特許文献１】特開２０１３−２０３３２０号公報
【発明の概要】
【発明が解決しようとする課題】
【０００７】
ところで、上述した文献に開示されているように、ガセットの前端部を、ステーを介してフロントサイドフレームに固定すれば、スモールオーバラップ衝突時の衝撃荷重をガセットの前端面にて受け止め、この衝撃荷重をフロントサイドフレーム方向へ確実に伝達させることができる。
【０００８】
しかし、ガセットの前端部をフロントサイドフレームに対し、ステーを介して固定すると、フルラップ衝突（全突）やスモールラップ衝突よりもラップ量の大きいオフセット衝突の際に、その衝撃荷重を受けてフロントサイドフレームの前端部が後方へ変形すると、その変形によりステーを介してガセットが車幅方向内側へ呼び込まれてしまい、衝撃荷重の吸収特性を阻害する因子として機能してしまう可能性がある。このことは、ガセットの先端面をバンパビームに連結させた場合も同様に発生する。
【０００９】
本発明は、上記事情に鑑み、スモールオーバラップ衝突の際にはガセットを介して衝撃荷重をフロントサイドフレームへ良好に伝達することができ、又、フルラップ衝突或いはオフセット衝突の際にはガセットが衝撃吸収を阻害する因子として機能させることなく、良好な衝撃吸収性能を保証することのできる車体前部構造を提供することを目的とする。
【課題を解決するための手段】
【００１０】
本発明は、車体の幅方向両側に設けられると共に該車体の前後方向へ延在するフロントサイドフレームと、前記フロントサイドフレームの前端部又は該前端部に設けられたクラッシュボックスと、前記フロントサイドフレームの前端部又は前記クラッシュボックスの前端部に連結されて車幅方向へ延在するバンパビームと、後部に形成した固定部を前記フロントサイドフレームの車幅方向外側に固定し、該固定部から前方へ延在する本体部を車幅方向外側に拡開させて、該本体部の前端面を前記バンパビームの背面に対峙させるガセットとを有する車体前部構造において、前記本体部の前記前端面と前記バンパビームの背面との間に間隙部が設けられ、前記固定部に、フルラップ衝突の際の衝撃荷重を受けて前記本体部を車幅方向外側へ傾斜させる際の起点となる変形容易部が設けられている。
【発明の効果】
【００１１】
本発明によれば、ガセットに設けた本体部の前端面とバンパビームの背面との間に間隙部を設け、又、フロントサイドフレームに固定するガセットの固定部に、フルラップ衝突の際に前記本体部を前記バンパビームからの衝撃荷重により車幅方向外側へ傾斜させる変形容易部を設けたので、スモールオーバラップ衝突時はガセットを介して衝撃荷重をフロントサイドフレームへ良好に伝達することができる。又、フルラップ衝突或いはオフセット衝突の際は、バンパビームが、クラッシュボックス（フロントサイドフレームがバンパビームに直接連結されている場合はフロントサイドフレームの先端）を圧潰して後退する際に、ガセットに設けた本体部の前端面を車幅方向外側へ押圧し、ガセットを、変形容易部を基部として車体幅方向外側へ傾斜させることで、衝突荷重の伝達経路から外れるので、ガセットが衝撃吸収を阻害する因子として機能せず、良好な衝撃吸収性能を保証することができる。
【００１２】
又、ガセットに設けた本体部の前端面とバンパビームの背面との間に間隙部を設けたことで、軽衝突時にバンパビームが後退した際に、ガセットやサイドフレームに荷重を伝えずガセットやサイドフレームの変形を抑えることができる。
【図面の簡単な説明】
【００１３】
【図１】車体前部の要部概略平面図
【図２】車体前部を車幅方向外側の後方斜め上から見た要部概略斜視図
【図３】車体前部の車幅方向端部の要部概略平面図
【図４】車体前部の車幅方向端部を後方斜め下から見た模式的要部斜視図
【図５】スモールオーバラップ衝突直前の状態を示す概略平面図
【図６】スモールオーバラップ衝突時の挙動を示す概略平面図
【図７】フルラップ衝突直前の状態を示す概略平面図
【図８】フルラップ衝突時の挙動を示す概略平面図
【発明を実施するための形態】
【００１４】
以下、図面に基づいて本発明の一実施形態を説明する。図中の符号１は車両の前部を示し、この車両前部１には、エンジン１０、トランスミッション２０、キャビン３０、フロントサイドフレーム４０、ラジエータパネル５０、バンパビーム６０、フロントサブフレーム７０、フロントホイール８０、フロントサスペンション９０等が設けられている。
【００１５】
エンジン１０、トランスミッション２０はエンジンルーム１ａに収容されている。 このエンジン１０は、例えば縦置きに搭載された水平対向４気筒のガソリン又はディーゼルエンジンであり、クランクシャフトを挟んで配置された左右バンクの頂部（車幅方向端部）にシリンダヘッドが設けられている。
【００１６】
トランスミッション２０は、エンジン１０の後部に結合されており、そのトランスミッションケース内に、トルクコンバータ又はクラッチ等の発進デバイス、ＣＶＴバリエータ又は変速ギヤ列等の変速装置、前後輪に駆動力を配分するＡＷＤトランスファ、最終減速装置、フロントディファレンシャル等が収容されている。
【００１７】
又、キャビン３０は、車両の中央部に設けられ乗員が搭乗する部分であり、フロアパネル３１、トーボード３２、フロアトンネル３３、Ａピラー３４、サイドシル３５等で構成されている。フロアパネル３１は、キャビン３０の床面を構成する実質的に平面状の部分である。トーボード３２は、フロアパネル３１の前端部から上方へ立ち上げて配置されており、このトーボード３２によりキャビン３０とエンジンルーム１ａとが区画されている。
【００１８】
フロアトンネル３３は、フロアパネル３１の車幅方向中央部をキャビン３０側に張り出して形成されており、内部にトランスミッション２０の後部、及び、図示しないプロペラシャフト、排気管等が収容されている。
【００１９】
又、Ａピラー３４は、フロアパネル３１の左右側端部における前端部から上方へ突き出して配置された柱状の構造部材で、サイドシル３５はＡピラー３４の下端部から車両後方側へ延出され、フロアパネル３１の側端部に沿って配置された梁状の構造部材である。
【００２０】
フロントサイドフレーム４０は、キャビン３０のトーボード３２側から車両前方側に突き出して配置された矩形の閉断面を有する左右一対の構造部材であり、その対向面がエンジン１０の側面部（水平対向エンジンでは、シリンダヘッドのタペットカバー）に、所定間隔を開けて対峙されている。
【００２１】
ラジエータパネル５０は、エンジン１０の冷却水を冷却するラジエータコアやエアコンディショナのコンデンサ等を支持する枠状の構造体であって、エンジン１０の前方に配設されている。又、ラジエータパネル５０の側端部は、フロントサイドフレーム４０の前端部近傍に固定されている。
【００２２】
バンパビーム６０は、車体前端部に設けられる外装部品である図示しないバンパフェイスの内側に設けられ、車幅方向にほぼ沿って延在する梁状に形成されており、フルラップ衝突（全突）時の衝撃荷重を車体後方側に伝達するものである。バンパビーム６０は、バンパフェイスの造形に合わせて、前方側が凸となる弧状に湾曲して形成されており、その背面にクラッシュボックス６１の前端部が連結され、このクラッシュボックス６１の後端部がフロントサイドフレーム４０の前端部に連結されている。尚、車種によっては、フロントサイドフレーム４０の前端部がバンパビーム６０に直接連結されているものがあり、この場合、クラッシュボックス６１はフロントサイドフレーム４０の前端部６１と読み換える。
【００２３】
フロントサブフレーム７０は、フロントサイドフレーム４０よりも下方に配置されると共に、エンジン１０を支持する図示しないエンジンマウント、フロントサスペンション９０のロワアーム９２等が取り付けられている。フロントサブフレーム７０は、例えば、矩形の枠状に形成されると共に、前後に設けられた図示しない取付箇所を、上下方向に配置される図示しないボルトによってフロントサイドフレーム４０等に締結することで車体に取り付けられている。
【００２４】
フロントホイール８０は、例えばアルミニウム系合金製のリムにタイヤを装着して構成される車両の前輪である。フロントホイール８０は、図示しないハブベアリングハウジングによって回転可能に支持されると共に、車軸よりも前方に配置されたタイロッドＴを押し引きすることによって、転舵自在となっている。
【００２５】
タイロッドＴは、ステアリングシャフトを介してステアリングホイールに接続されたステアリングギヤボックス（何れも図示せず）に連結され、ドライバのステアリング操作に応じて、車幅方向にほぼ沿って駆動される。尚、図１、図２においては、タイヤは図示を省略し、図５〜図８においてはリムの図示を省略している。
【００２６】
フロントサスペンション９０は、フロントホイール８０を支持するハブベアリングハウジングを、車体に対して揺動可能に支持するものであり、このフロントサスペンション９０は、例えば、マクファーソンストラット式のものであり、ストラット９１、ロワアーム９２等を有している。
【００２７】
ストラット９１（図２参照）は、車体のエンジンルーム上部側方に設けられたストラットアッパマウント９３と、ハブベアリングハウジングの上部に設けられた図示しないブラケットとの間に設けられている。ストラット９１は、ショックアブソーバ（ダンパ）及びスプリングをユニット化したものである。
【００２８】
又、車両前部１には、スモールオーバラップ衝突時の衝撃荷重をフロントサイドフレーム４０へ伝達するガセット１００が設けられている。図１〜図４に示すように、ガセット１００は、フロントサイドフレーム４０の前端部近傍における車幅方向外側の領域に配置されている。
【００２９】
このガセット１００は、矩形の筒状断面に形成された本体部（以下、「ガセット本体」と称する）１０１と、このガセット本体１０１の後端に連続して形成された平板状の固定部１０２とを有している。この固定部１０２は、エンジン１０の前後方向中央よりも車両前方側に位置するフロントサイドフレーム４０の車幅方向外側の側面部に、例えば車幅方向外側から挿入されるボルトによって上下２カ所が所定間隔を開けて締結固定されている。
【００３０】
一方、ガセット１００は、一体成型品、或いは板金製であり、ガセット本体１０１の基部が固定部１０２の前端から屈曲され、車幅方向外側に前開きに傾斜して前方へ延在され、その前端面１０１ａがバンパビーム６０の背面６０ａに臨まされている。
【００３１】
更に、このガセット本体１０１の前端面１０１ａとバンパビーム６０の背面６０ａとの間に所定の間隙部１１０が設けられている。図１〜図３に示すように、この間隙部１１０は車幅方向内側から外側へ拡開する楔状を有している。換言すれば、ガセット本体１０１の前端面１０１ａがバンパビーム６０の背面６０ａに対して傾斜した状態で対峙されており、従って、前端面１０１ａの車幅方向内側の稜部（以下、内側前端稜部」と称する）１０１ｂがバンパビーム６０の背面６０ａに最も近接されている。
【００３２】
又、バンパビーム６０の背面６０ａであって、ガセット本体１０１の前端面１０１ａが対向する面の側面、すなわち、上方、下方、車幅方向外側、及び、車幅方向内側にガイド部材１２０，１３０，１４０，１５０がガセット本体１０１の前端面１０１ａを囲むようにそれぞれ対設されている。これら各ガイド部材１２０，１３０，１４０，１５０は、ガセット本体１０１の前端面１０１ａの上下左右への相対移動を規制するものである。これら各ガイド部材１２０，１３０，１４０，１５０により、スモールオーバラップ衝突の際の初期挙動において、バンパビーム６０は各ガイド部材１２０，１３０，１４０，１５０にガイドされた状態で後退し、間隙部１１０を縮小してガセット本体１０１に押し当てられた後、ガセット１００に対して衝撃荷重を確実に伝達させることができる。
【００３３】
又、少なくとも車幅方向外側ガイド部材（以下、「外側方ガイド部材」と称する）１４０は、車幅方向内側ガイド部材（以下、「内側方ガイド部材」と称する）１５０よりも薄い板厚で形成されている。外側方ガイド部材１４０を薄い板厚で形成することで、後述するフルラップ衝突、或いはスモールラップ衝突よりもラップ量の大きいオフセット衝突の際に、ガセット本体１０１に車幅方向外側への荷重が作用した際の押圧力にて、外側方ガイド部材１４０を容易に破壊或いは屈曲させて、ガセット本体１０１を車幅方向外側へ逃がすことができる。尚、各ガイド部材１２０，１３０，１４０，１５０は、バンパビーム６０の背面６０ａにボルト等を用いて締結固定されていても良く、溶接にて固定されていても良い。或いは、バンパビーム６０に一体的に形成されていても良い。
【００３４】
又、フロントサイドフレーム４０におけるガセット１００の固定部１０２の固定箇所近傍には、フロントサイドフレーム４０の内部断面を仕切って実質的に閉塞するセパレータ４１（図１参照）が設けられている。
【００３５】
更に、フロントサイドフレーム４０の車幅方向外側の側面部であって、ガセット１００の固定部１０２の後方に隣接する領域に、２本のビード４２が前後方向に所定間隔開けて形成されている。このビード４２はフロントサイドフレーム４０の剛性を局所的に低下させて、スモールオーバラップ衝突の際に、フロントサイドフレーム４０を車幅方向内側へ屈曲させるときの起点となるものである。
【００３６】
次に、図５〜図８を参照して、スモールオーバラップ衝突、及びフルラップ衝突時のガセット１００の挙動について説明する。尚、図５〜図８には各校製部品を模式的に表しているため、図１〜図４に示す各部品の位置関係と若干相違する部分がある。例えば、ガセット本体１０１の前端面１０１ａがバンパビーム６０の背面６０ａに対し、ほぼ並行に対峙しているように記載されているが、実際は、図１〜図４に示すように傾斜された状態で対峙されている。又、説明を容易にするため上方ガイド部材１２０及び下方ガイド部材１３０は省略している。
【００３７】
［スモールオーバラップ衝突］
先ず、スモールオーバラップ衝突時の挙動について説明する。図５、図６の符号Ｂｏはオフセットバリアであり、相手車両や立ち木、電柱等を模している。図５に示すように、車両のフロントサイドフレーム４０よりも車幅方向外側（側端部）のバンパビーム６０が、オフセットバリアＢｏに近接する。
【００３８】
そして、図６に示すように、車両のバンパビーム６０がオフセットバリアＢｏに対して荷重Ｆｔで衝突（スモールオーバラップ衝突）すると、その反力である衝撃荷重がバンパビーム６０を介してクラッシュボックス６１（又はフロントサイドフレーム４０の前端部６１）に伝達され、このクラッシュボックス６１（又はフロントサイドフレーム４０の前端部６１）からフロントサイドフレーム４０に軸方向の圧縮荷重が伝達される。
【００３９】
一方、バンパビーム６０の側端部は衝撃荷重を受けて変形し、その背面６０ａに対峙しているガセット本体１０１の前端面１０１ａを押圧し、このガセット本体１０１に軸方向の圧縮荷重を伝達する。その際、ガセット本体１０１は固定部１０２で片持ち支持されているだけであり、前端面１０１ａは自由端となっているためバンパビーム６０の背面６０ａに対して、上下左右方向へ相対移動し易く、衝撃荷重がガセット本体１０１に対し軸方向の荷重として効率よく伝達されない可能性がある。そのため、本実施形態では、ガセット本体１０１の前端面１０１ａの外周を各ガイド部材１２０，１３０，１４０，１５０で囲い、この各ガイド部材で上下、左右方向の相対的な移動を規制し、ガセット本体１０１に対して軸方向荷重を効率よく伝達させることができるようにした。
【００４０】
このガセット本体１０１に伝達された衝突荷重は、固定部１０２を経由してフロントサイドフレーム４０の車幅方向外側の側面に対し、斜め前方から車幅方向内側に押し込む方向に印加される。すると、フロントサイドフレーム４０は、この押し込み荷重によって、側面に形成されたビード４２の周辺を折れの起点として、これよりも前方側が車幅方向内側へ屈曲変形する。そして、この屈曲変形量が所定以上になると、これに対向するエンジン１０のシリンダヘッド（タペットカバー）に衝突する。
【００４１】
その後、車体に対するオフセットバリアＢｏの相対後退量（オフセットバリアＢｏに対する車体の相対前進量）がさらに大きくなると、フロントサイドフレーム４０は、エンジン１０を車幅方向における反対側（オフセットバリヤＢｏと衝突していない側）に押圧して変位させる。このとき、フロントサイドフレーム４０の前端部における未圧潰領域は、軸方向衝撃力にてエンジン１０の車幅方向外側へ更に押出す押圧部材として機能する。
【００４２】
このように、車両のなかでも重量物であるエンジン１０が車幅方向反対側へ押圧されることで、車両はオフセットバリアＢｏを回避する方向へ向きを変え、キャビン３０のＡピラー３４、サイドシル３５等への伝達荷重が軽減される。又、フロントサイドフレーム４０は、上述した屈曲変形によって、それ自体がエネルギを吸収するエネルギ吸収体として機能する。
【００４３】
［フルラップ衝突］
次に、フルラップ衝突時の挙動について説明する。図７、図８の符号Ｂｆはフラットバリヤであり、フルラップ衝突時の対向車等を模している。図７に示すように車両がフラットバリヤＢｆに近接し、荷重Ｆｔでフルラップ衝突（全突）すると、バンパビーム６０の前面にその反力が印加される。
【００４４】
その結果、このバンパビーム６０が撓み、図７に一点鎖線で示すように、その側端部が直線状に一時的に弾性変形されて車幅方向外側へ延伸される。その際、ガセット本体１０１の前端面１０１ａの車幅方向内側に対峙する内側方ガイド部材１５０が、ガセット本体１０１の前端を、矢印で示すように車幅方向外側へ押圧する。
【００４５】
すると、このガセット本体１０１は固定部１０２を起点として車幅方向外側へ傾斜される。その際、このガセット本体１０１が外側方ガイド部材１４０に衝突する場合もあるが、この外側方ガイド部材１４０は内側方ガイド部材１５０よりも薄い板厚で形成されており、ガセット本体１０１からの衝撃荷重で簡単に屈曲、或いは破壊される。従って、この外側方ガイド部材１４０がガセット本体１０１の車幅方向外側への傾斜動作を阻害することはない。
【００４６】
又、同時に、バンパビーム６０はフルラップ衝突時の衝撃荷重を受けて後退し、このバンパビーム６０にフロントサイドフレーム４０が直接連結されている場合は、このフロントサイドフレーム４０の先端を圧潰させ、又、クラッシュボックス６１が介装されている場合は、このクラッシュボックス６１を圧潰させるが、その際、ガセット本体１０１の前端面１０１ａはバンパビーム６０の背面６０ａに対して傾斜した姿勢で対峙しているため、内側前端稜部１０１ｂが最初に押圧される。すると、このガセット本体１０１に対し、車幅方向内側の斜め前方から衝撃荷重が印加されるため、その押圧力によりガセット本体１０１は固定部１０２を起点として車幅方向外側へ傾斜される。
【００４７】
その結果、ガセット本体１０１は、バンパビーム６０に衝撃荷重が印加される過程において、外側方ガイド部材１４０とバンパビーム６０とから受ける押圧力により、固定部１０２を起点として車幅方向外側へ傾斜して、フルフラップ衝突の際の衝撃荷重が伝達される経路から外れる。そのため、衝撃吸収を阻害する因子とて機能せず、フルラップ衝突においては、良好な衝撃吸収性能を保証することができる。
【００４８】
ところで、ガセット本体１０１の内側前端稜部１０１ｂが内側方ガイド部材１５０、及びバンパビーム６０の背面６０ａからの押圧力を受けて、車幅方向外側へ傾斜する場合、その傾斜はガセット本体１０１が筒状の剛体であるため、固定部１０２側が起点となる。本実施形態では、固定部１０２をフロントサイドフレーム４０に対し、上下２カ所をボルト等で締結固定している。
【００４９】
従って、少なくとも固定部材１０２の締結部位よりも前端側が折り曲げられることでガセット本体１０１が傾斜されるため、この固定部材１０２の締結部位よりも前端側が、本発明の変形容易部として機能されることになる。又、例えば、ガセット１００が板金製であり、ガセット本体１０１の基部と固定部１０２の前端部との境界を屈曲させて傾斜させた場合、この屈曲部を起点に傾斜され易く、従って、この場合、この屈曲部が、発明の変形容易部として機能されることになる。
【００５０】
ところで、変形容易部は固定部１０２の締結部位よりも前端方向に、切欠き、丸孔、長孔、或いはボトルネック部等により脆弱部を形成し、この脆弱部を変形容易部として機能させることで、所望の位置に変形容易部を設定することができる。
【００５１】
このように、本実施形態によれば、スモールオーバラップ衝突の際にはガセットを介して衝撃荷重をフロントサイドフレームへ良好に伝達することができ、又、フルラップ衝突の際には、ガセットを車幅方向外側へ傾斜させて、衝撃荷重が伝達される経路から外れるようにしたので、良好な衝撃吸収性を得ることができる。
【００５２】
尚、本発明は、上述した実施形態に限るものではなく、例えばフルラップ衝突の際の作用は、前述したスモールオーバラップ衝突よりもオーバラップ量の大きいオフセット衝突にもそのまま適用することができる。
【符号の説明】
【００５３】
１…車両前部、
１０…エンジン、
４０…フロントサイドフレーム、
４２…ビード、
６０…バンパビーム、
６０ａ…背面、
６１…クラッシュボックス（又はフロントサイドフレームの前端部）、
１００…ガセット、
１０１…ガセット本体、
１０１ａ…前端面、
１０１ｂ…内側前端稜部、
１０２…固定部、
１１０…間隙部、
１５０…内側方ガイド部材、
Ｂｆ…フラットバリヤ、
Ｂｏ…オフセットバリア、
Ｆｔ…荷重
【図１】
2015137080.tif 000003
【図２】
2015137080.tif 000004
【図３】
2015137080.tif 000005
【図４】
2015137080.tif 000006
【図５】
2015137080.tif 000007
【図６】
2015137080.tif 000008
【図７】
2015137080.tif 000009
【図８】
2015137080.tif 000010